(57)【要約】【課題】  岩盤体の裏側に発生するラジウム放射線を、多数の通気路を介してラドンガスとマイナスイオンの発現に関与させ、該ラドンガスとマイナスイオンを通気の対流によって仰臥する人体の頭部の周辺に開口する小孔から放出できる岩盤浴ベッドを提供すること。【解決手段】  加熱部１８は温熱板１３と、温熱板１３中で温水を循環させる温熱パイプ１５と、温熱パイプ１５に温水を供給する温水供給源とから成り、岩盤体９は上面を平滑に仕上げられた多数個の盤状のラジウム鉱石１０と、各ラジウム鉱石１０を固着配置する固着体１１と、固着体１１の下方でベッド本体３の長手方向に沿って配列する多数の通気路１２とから成る。  通気路１２の後方を通気路１２より下位のベッド本体３の空気取入れ口２０に連通し、その前方をベッド本体３の前部に配設する集気室２１を介して該前部の上面に載置する枕５の周辺に開口する多数の小孔６に連通する。ベッド本体３の前記温熱板１３の下方には断熱材１４を充填する。【選択図】  図２
2006187443.tif 000002
【特許請求の範囲】
【請求項１】
ベッド本体の加熱部の上にラジウム鉱石の岩盤体を配置した岩盤浴装置において、
加熱部が、温熱板と、該温熱板中で温水を循環させる温熱パイプと、該温熱パイプに温水を供給する温水供給源とから成り、
岩盤体が、上面を平滑に仕上げられた多数個の盤状のラジウム鉱石と、各ラジウム鉱石を固着配置する固着体と、固着体の下方でベッド本体の長手方向に沿って配列する多数の通気路とから成り、
前記通気路をベッド本体の空気取入れ口に連通するとともに、その前方をベッド本体の前部に配設する集気室を介して該前部の上面に載置する枕の周辺に開口する多数の小孔に連通し、ベッド本体の前記温熱板の下方に断熱材を充填して成り、頭部周辺に小孔から放出されるラドンガス、マイナスイオンが体内に吸収され易くしたことを特徴とする岩盤浴ベッド。
【発明の詳細な説明】
【技術分野】
【０００１】
本発明は、特別な治療または衛生目的のための岩盤浴ベッドに関する。
【背景技術】
【０００２】
加熱部の上に板状ラジウム原石又は粒状ラジウム原石を載せ、その上に仰臥して温熱効果としての人体の代謝率向上と、ホルミシス効果を目的としたラジウム岩盤浴装置が登録実用新案第３１０５１９３号（特許文献１）に開示されている。この特許文献１による技術は主としてラジウム放射線の皮膚からの体内吸収によるホルミシス効果を期待したもので呼吸器官からの体内吸収ができない。
【特許文献１】登録実用新案第３１０５１９３号
【発明の開示】
【発明が解決しようとする課題】
【０００３】
本発明は、岩盤体の裏側に発生するラジウム放射線を通気路を介してラドンガスとマイナスイオンの発現に関与させ、ラドンガスとマイナスイオンを通気の対流によって仰臥する人体の頭部の周辺に開口する小孔から放出できる岩盤浴ベッドを提供するものである。
【課題を解決するための手段】
【０００４】
上記課題を達成する本発明の岩盤浴ベッドは、ベッド本体の加熱部の上にラジウム鉱石の岩盤体を配置した岩盤浴装置において、
加熱部が、温熱板と該温熱板中で温水を循環させる温熱パイプと、該温熱パイプに温水を供給する温水供給源とから成り、
岩盤体が、上面を平滑に仕上げられた多数個の盤状のラジウム鉱石と、各ラジウム鉱石を固着配置する固着体と、固着体の下方でベッド本体の長手方向に沿って配列する多数の通気路とから成り、
前記通気路を該通気路より下位のベッド本体の空気取入れ口に連通するとともに、その前方をベッド本体の前部に配設する集気室を介して該前部の上面に載置する枕の周辺に開口する多数の小孔に連通し、ベッド本体の前記温熱板の下方に断熱材を充填して成る。
【発明の効果】
【０００５】
本発明の岩盤浴ベッドによれば、岩盤体の表側から放出されるラジウム放射線を皮膚から体内に吸収できるとともに、岩盤体の裏側に放射するラジウム放射線を多数の通気路を介してラドンガスとマイナスイオンの発現に関与させ、温熱板に伝熱される温熱は人体への代謝率向上などの温熱効果に加えて通気路に空気の対流を誘発させ、対流によって通気路で発現したラドンガスとマイナスイオンが頭部周辺の小孔から放出されるため、積極的に両者が呼吸器官から体内に吸収され易くなり、一層のホルミシス効果が得られ健康増進と治療効果の向上に寄与するものである。
【発明を実施するための最良の形態】
【０００６】
ラジウム鉱石は厚さ５cmにスライスしたものが量産向きで、その平滑な上面は固着体の上面より僅かに突出した状態で固着配置され、固着体にはモルタルや樹脂などが充当される。温熱板は熱伝導性の良好な材質が選択され、通気路に案内される空気はベッド本体の通気路より下位の空気取入れ口から吸収され、ラドンガスとマイナスイオンを含んで温熱板によって温められて通気路より上位のベッド本体の前部の上面に開口される多数の小孔から放出されるもので、この吸引と放出は空気の対流によってなされる。
【実施例】
【０００７】
本発明を実施例により説明すると、図１に示すように、上面に開口部１を設け、下面を閉塞板２で閉止した横長矩形状の枠体からなるベッド本体３には、前部の上面にステンレス板４が一体に接合され枕５が載置され、ステンレス板４の枕５の周辺には多数の小孔６が開口され、後部の上面にも開口幅全面に渡って長手方向に短尺なステンレス板７が一体に接合され、開口部１にはその左右がベッド本体３の左右上端で内方に逆Ｌ形に突出した覆い部８で抜け止めされ、前後が両ステンレス板４、７の内方端で抜け止めされた岩盤体９が配設される。岩盤体９は上面を平滑に仕上げられ、厚さ５cmにスライスされた盤状のラジウム鉱石１０と、各ラジウム鉱石１０をその上面を僅かに突出させた状態で固着配置するモルタルなどの固着体１１と、固着体１１の下方でベッド本体３の長手方向に沿って配列する多数の通気路１２とから成る。岩盤体９の下部には熱伝導性の良好な温熱板１３が配置され、温熱板１３と閉塞板２との間には断熱材１４が充填される。
温熱板１３には温水を循環させる温熱パイプ１５が張り巡らされ、温熱パイプ１５はベッド本体３の後部壁面１６に開口した挿通口１７から図外の温水供給源ボイラーに接続されて加熱部１８が構成される。
通気路１２は図２に示すように、後方を通気溜り１９を介して通気路１２より下位のベッド本体３の後部壁面１６に開口した空気取入れ口２０に連通し、その前方をベッド本体３の前部に配設する集気室２１を介して小孔６に連通して成る。ベッド本体３の前部の上面で枕５の横には温度計２２が配設され岩盤浴の温熱状況が監視される。
【０００８】
このようにして成る岩盤浴ベッドＡは、枕５に頭部を載せて岩盤体９に仰臥して使用される。岩盤体９は加熱部１８の温熱板１３によって温められ仰臥する者は天然の岩盤浴に浴する気分となる。岩盤体９の表側から放射されるラジウム放射線は皮膚から人体に吸収され、岩盤体９の裏側に放射するラジウム放射線を多数の通気路１２を介して（詳しくは通気路１２中の空気の介在によって）ラドンガスとマイナスイオンの発現に関与させ、温熱板１３に伝熱される温熱は岩盤体９を介して人体への代謝率向上などの温熱効果に加えて通気路１２に空気の対流を誘発させる。この対流によって通気路１２で発現したラドンガスとマイナスイオンが頭部周辺の多数の小孔６から放出されるため、積極的に両者が呼吸器官から体内に吸収され易くなり、より一層のホルミシス効果が得られる。
【産業上の利用可能性】
【０００９】
本発明の岩盤浴ベッドは、家庭用業務用として広く利用できるから給湯設備関連業界を活性化できる。
【図面の簡単な説明】
【００１０】
【図１】本発明に係る岩盤浴ベッドＡの一部を破断した説明用斜視図。
【図２】岩盤浴ベッドＡの長手方向の縦断面図。
【符号の説明】
【００１１】
１：開口部
２：閉塞板
３：ベッド本体
４：ステンレス板
５：枕
６：小孔
７：ステンレス板
８：覆い部
９：岩盤体
１０：ラジウム鉱石
１１：固着体
１２：通気路
１３：温熱板
１４：断熱材
１５：温熱パイプ
１６：後部壁面
１７：挿通口
１８：加熱部
１９：通気溜り
２０：空気取入れ口
２１：集気室
２２：温度計
Ａ：岩盤浴ベッド
【図１】
2006187443.tif 000003
【図２】
2006187443.tif 000004